(57)【要約】 【課題】熱風の発生に必要な電力を減らして映画館での４Ｄ椅子の設置及び使用コストを低減し、ファンのスピードを落としても十分な熱風効果が得られるようにすることにより、映画の視聴を妨げるファンの回転音を低減し、しかも観客が熱風を感じるときに適切な熱風の強さを提供することにより、観客に快適さを提供する。【解決手段】本発明は、特殊効果椅子に関するものであり、  椅子と、前記椅子の内部に設けられる発熱体と、前記発熱体によって加熱された空気を流動させる送風部と、前記送風部により流動された空気を前記椅子の外部に吐出する吐出部と、を備え、前記吐出部は、前記椅子の正面側に位置する特殊効果椅子であることを特徴とする。したがって、本発明によれば、従来技術に比べて、熱風の噴射距離を短くし、蓄熱機能を付加することにより、消費電力を２０分の１に低減することができる。【選択図】  図４
2018512991.tif 000002
【特許請求の範囲】
【請求項１】
椅子と、
前記椅子の内部に設けられる発熱体と、
前記発熱体によって加熱された空気を流動させる送風部と、
前記送風部により流動された空気を前記椅子の外部に吐出する吐出部と、
を備え、
前記吐出部は、前記椅子の正面側に位置することを特徴とする特殊効果椅子。
【請求項２】
前記発熱体は、特定温度以上で抵抗値が急激に上昇する物質から形成されることを特徴とする請求項１に記載の特殊効果椅子。
【請求項３】
前記発熱体は、ＰＴＣヒーターを備えることを特徴とする請求項２に記載の特殊効果椅子。
【請求項４】
前記椅子は、
シート部と、  
前記シート部の下部を支持するベース部と、  
前記シート部または前記ベース部と結合されて上方に延設された背もたれと、
を備えることを特徴とする請求項１に記載の特殊効果椅子。
【請求項５】
前記吐出部は、前記背もたれの正面側に位置することを特徴とする請求項４に記載の特殊効果椅子。
【請求項６】
前記吐出部は、前記背もたれの正面側の上部に位置し、
前記発熱体は、  前記背もたれの中央部と前記吐出部が形成される上部との間に配置されることを特徴とする請求項５に記載の特殊効果椅子。
【請求項７】
前記シート部または前記背もたれの少なくともいずれか一方の側に結合される肘掛けをさらに備え、
前記吐出部は、前記肘掛けに位置することを特徴とする請求項４に記載の特殊効果椅子。
【請求項８】
前記吐出部は、吐出される空気の方向または量を制御する空気抜きブレードを備えることを特徴とする請求項１に記載の特殊効果椅子。
【請求項９】
前記発熱体によって加熱された空気を保存する蓄熱部をさらに備えることを特徴とする請求項１に記載の特殊効果椅子。
【請求項１０】
前記蓄熱部は、前記発熱体の表面に結合されるか、または前記発熱体を取り囲む形状を有することを特徴とする請求項９に記載の特殊効果椅子。
【請求項１１】
前記発熱体または前記送風部の駆動を制御するスイッチをさらに備えることを特徴とする請求項１に記載  特殊効果椅子。
【請求項１２】
椅子の内部に設けられる発熱体と、前記発熱体によって加熱された空気を流動させる送風部と、前記送風部により流動された空気を前記椅子の外部に吐出する吐出部と、を備える特殊効果椅子と、
前記椅子の発熱体及び送風部のうちの少なくともいずれか一方を制御する制御サーバと、を備え、
前記吐出部は、前記椅子の正面側に位置することを特徴とする特殊効果システム。
【発明の詳細な説明】
【技術分野】
【０００１】
本発明は、特殊効果椅子及びこれを含むシステムに係り、より詳しくは、送風、熱風機能を備えた特殊効果４Ｄ椅子及びこれを含む特殊効果椅子及びこれを含むシステムに関する。
【背景技術】
【０００２】
４Ｄ技術とは、３Ｄ立体映像と共に物理的な効果（水滴噴射、客席の振動や動き、ストロボライト、臭いの発散など）を提供することにより、映画の観客に現実感を与える技術を指す。  ３Ｄに１つの技術が加えられたという意味で一般的に４Ｄと呼ばれるが、これは技術的な用語というよりも一種のマーケティング用語の一種である。４Ｄ技術は、必ず３Ｄ立体映像を伴う必要がないもので、映像そのものが３Ｄ立体ではない一般的な映像として製作されたが４Ｄ設備で上映すべき場合、２Ｄの一般映像に物理的な効果を提供することで実現することもできる。このため、４Ｄ技術の最大の特徴は、観客に映像以外の物理的な刺激を与えることにある。
【０００３】
最近、４Ｄ技術は、観客が映画を観覧するときに視覚、聴覚及び嗅覚的に実際の状況に近い状況を体験させるレベルにまで至り、熱風を用いた触覚的効果も開発されているのが現状である。
ただし、熱風を用いる従来の技術は、前の座席の背もたれのクッションから後の座席のほうへ熱風を吐出する方式である。このような方式では、前席と後席間の距離が原因で熱風が吐出口から排出される瞬間から温度が急低下するので、高い熱風効果を得るためには熱を発生させる発熱体に高い電力量が求められ、風を発生させる送風機にも高い電力量が求められる。また、送風機の消費電力量が大きいほど速くなるファンの回転速度により騒音が発生するため、観客が熱風を体感するにあたり、過度の騒音は、むしろ観客の映画鑑賞を妨げる原因となる。
【０００４】
従って、温風機能を利用する場合には、熱風の効果のために消費される電力により上昇するコストが映画館での映画上映による利益よりも大きくなるため、映画館での熱風の４Ｄ効果を利用することが回避されている。
また、前席と後席の間隔は、すべての映画館で標準化されているのではなく、それぞれの国や映画館ごとに相違するので、後の座席に着座した観客に適切な熱風効果を提供するためには、前席と後席の間隔に応じて発熱体、送風機などを調節して制御する必要があるという煩わしさがある。特に近ごろ、観客の便宜のために、前席と後席の距離をさらに拡大していることから、熱風効果のために消費される電力により上昇するコストがさらに大きくなると予想される。したがって、前席と後席との間の距離が広い国では、４Ｄ技術を商用化することは困難であるという問題がある。
【０００５】
一方、安定性の面から見ると、従来の技術では、熱風モジュールの付近に温度センサー（バイメタル）が設けられているので、所定の温度以上になると、温度センサーが作動して電力を遮断しているが、このとき、温度センサーに異常が発生した場合、発熱体の温度を制御することができないため、火災発生の危険性が大きい。
従って、熱風の効果は様々な４Ｄ効果を感じる上で必須の要素であるが、商業化のレベルに到達する上で上述した問題がある。
【発明の概要】
【発明が解決しようとする課題】
【０００６】
本発明は、上記問題に鑑みてなされたものであって、その目的とするところは、熱風の発生に必要な電力を減らして映画館での４Ｄ椅子の設置及び使用コストを低減することにある。
また、本発明の他の目的は、ファンのスピードを落としても十分な熱風効果が得られるようにすることにより、映画の視聴を妨げるファンの回転音を低減し、しかも観客が熱風を感じるときに適切な熱風の強さを提供することにより、観客に快適さを提供することにある。
また、本発明のまた他の目的は、熱風効果を発生させるためのモジュールを小型化及び簡素化することにより、４Ｄ効果椅子の製造及び維持保守費用を低減し、且つ他の視覚、聴覚、嗅覚、振動などの効果を椅子に搭載するために椅子内にさらなるスペースを確保することにある。
さらに、本発明の他の目的は、温度センサーを設置して制御することなく、発熱する物質自体の抵抗変化特性を用いることにより、火災の発生をより効果的に防止することである。
【課題を解決するための手段】
【０００７】
上記目的を達成するためになされた本発明に係る特殊効果椅子は、椅子と、前記椅子の内部に設けられる発熱体と、前記発熱体によって加熱された空気を流動させる送風部と、前記送風部により流動された空気を前記椅子の外部に吐出する吐出部と、を備え、前記吐出部は、前記椅子の正面側に位置しており、吐出される空気の方向または量を制御する空気抜きブレード（ａｉｒ  ｖｅｎｔ  ｂｌａｄｅ）を備ることを特徴とする。
【０００８】
前記発熱体は、特定温度以上で抵抗値が急激に上昇する物質から形成され、ＰＴＣヒーターを備え、前記発熱体または前記送風部の駆動を制御するスイッチをさらに備えることを特徴とする。
【０００９】
前記椅子は、前記発熱体によって加熱された空気を保存する蓄熱部をさらに備えてもよく、前記蓄熱部は、前記発熱体の表面に結合されてもよく、または前記発熱体を取り囲む形状を有していることを特徴とする。
【００１０】
前記椅子は、シート部と、  前記シート部の下部を支持するベース部と、  前記シート部または前記ベース部と結合されて上方に延設される背もたれと、を備え、前記吐出部は、前記背もたれの正面側に位置することを特徴とする。
【００１１】
前記吐出部は、前記背もたれの正面側の上部に位置し、前記発熱体は、前記背もたれの内部で前記背もたれの中央部と前記吐出部が形成される上部との間に配置されることを特徴とする。
【００１２】
前記シート部または前記背もたれの少なくともいずれか一方の側に結合される肘掛けをさらに備え、前記吐出部は、前記肘掛けに位置することを特徴とする。
【００１３】
本発明の特殊効果椅子は、椅子の内部に設けられる発熱体と、前記発熱体によって加熱された空気を流動させる送風部と、前記送風部により流動された空気を前記椅子の外部に吐出する吐出部と、を備え、前記椅子の発熱体及び送風部のうちの少なくともいずれか一方を制御する制御サーバと、を備えることを特徴とする。
【発明の効果】
【００１４】
本発明によれば、熱風効果を用いた従来の４Ｄ椅子に比べて、噴射距離の短縮、熱風発生モジュール小型化及び蓄熱板の使用を図ることにより、熱風を発生させるために必要な電力量を、４Ｄ椅子１台あたり２０００Ｗから１００Ｗに、すなわち約２０分の１に低減することができ、これにより４Ｄ椅子を映画館に設置及び使用するコストを大幅に削減することができる。
また、噴射距離の短縮及び熱風発生モジュールの小型化を図ることにより、ファンの騒音や電力量を自然に低減することができ、しかも観客が熱風を体感するのに適した風速で熱風を噴射するので、快適性を提供することができる。
一方、本発明の発熱体は、特定温度以上で抵抗値が急激に上昇する物質を用いているため、従来技術の構成とは異なり、温度センサを追加設置する必要がなく、製造コストが削減できる。なお、従来技術では温度センサーの不良や故障による火災の危険性があったが、本発明では、温度センサーがないにもかかわらず、温度調節の安定性がかなり高いため、火災防止に適している。
【図面の簡単な説明】
【００１５】
【図１】本発明の実施形態に係る特殊効果椅子１００の内部を示す図である。
【図２】本発明の実施形態に係る結合体（以下、発熱体１２０、送風部１３０、吐出部１４０、蓄熱部１５０の結合を結合体と称する）の構造を示す図である。
【図３】本発明の実施形態における肘掛け１１４に配置された吐出部１４０及びスイッチ１６０の構成を示す図である。
【図４】本発明の実施形態に係る特殊効果椅子の正面側の背もたれ１１３から熱風を吐出する構成を示す図である。
【図５】本発明の実施形態に係る特殊効果椅子の肘掛け１１４から熱風を吐出する構成を示す図である。
【図６】本発明の実施形態に係る特殊効果椅子の背もたれ１１３及び肘掛け１１４から同時に熱風を吐出する構成を示す図である。
【図７】本発明の実施形態に係る温度降下を示す図である。
【発明を実施するための形態】
【００１６】
以下、本発明の実施の形態について添付図面を参照して詳細に説明する。なお、本発明を詳細に説明するにあたり、関連した公知の機能が当業者には明らかであり、本発明の要旨を不明瞭にすると判断される場合には、その詳細な説明を省略する。
図１は、本発明の実施形態に係る特殊効果椅子１００の内部を示す図であり、図２は、本発明の実施形態に係る結合体（以下、発熱体１２０、送風部１３０、吐出部１４０、蓄熱部１５０の結合を結合体と称する）の構造を示す図である
本発明の一実施形態に係る特殊効果椅子１００は、椅子１１０、発熱体１２０、送風部１３０及び吐出部１４０を備える。より詳細には、特殊効果椅子１００は、椅子１１０と、椅子１１０の内部に設けられる発熱体１２０と、発熱体１２０によって加熱された空気を流動させる送風部１３０と、送風部１３０により流動された空気を椅子１１０の外部に吐出する吐出部１４０と、を備え、吐出部１４０は、椅子１１０の正面側に位置する。
【００１７】
発熱体１２０は、椅子１１０の内部に設けられて熱を発生させることで周囲の空気を加熱する。例えば、電気アイロンや電気毛布などの電熱機器内に設けられた電気抵抗体を用いて熱を発生させる方法など、電気エネルギーを熱エネルギーに変換させる方法を用いることができる。ただし、本発明はこれに限定されるものではなく、電気エネルギーを用いて熱風を発生させることができる方法であればどのような方法を用いてもよい。
送風部１３０は、発熱体１２０によって加熱された空気を流動させる。送風部１３０は、モータにファンが結合され、モータによりファンが回転することによって風を生成する。熱風は、この風が発熱体１２０または蓄熱部１５０を通過する際に発生する。このとき、発熱体１２０のオン／オフに応じて熱風または送風を選択的に吐出することができる。
【００１８】
例えば、爆発シーンが現れた場合には、予め発熱体１２０をオンにして空気を加熱した後、送風部１３０を作動させて熱風を吐出することができ、また、バイクに乗って高速運転するシーンでは、発熱体１２０をオンにすることなく送風部１３０を作動させて涼しい風を吹き付けることができる。これは、後述する制御サーバ２００により制御可能である。
このとき、発熱体１２０の代わりに冷却モジュールを設けることにより冷風を吐出することもできる。例えば、ペルチェ素子を用いて周囲の空気を冷却する方法を用いることができる。また、前記冷却モジュールを発熱体１２０と共に設け、それぞれを後述する制御サーバにより制御することにより、熱風や冷風を選別的に吐出する構成を実現することもできる。ただし、本発明はこれに限定されるものではなく、冷風を発生させることができる方法であればどのような方法でも適用することができる。
【００１９】
吐出部１４０は、椅子１１０の内部で加熱された空気を吐出する出口を意味する。吐出部１４０は、背もたれ１１３の正面側に位置することを特徴とし、この場合、観客は椅子１１０の正面側から吐出される熱風を背中に体感することができる。
従来の技術は、吐出部１４０を椅子１１０の背面側に位置させた構成であり、観客は前方の椅子１１０から吐出された熱風を体感することになる。従来の技術のように、吐出口から観客までの熱風の分射距離が１Ｍであると仮定し、温度降下の程度を実験したところ（図７参照）、吐出口温度が１２８℃であるとき、吐出口から１Ｍ離れた測定温度は３６℃であり、外部温度により大きな温度降下が生じ、熱風の効果を観客に感じさせるためには非常に大きな電力（１台当たり２０００Ｗ）が必要となる。しかし、本発明では、吐出部１４０が椅子１１０の正面側に位置し、観客の身体への噴射距離が非常に短いため、低電力（１台当たり１００Ｗ）及び軽い風の吹き出しによっても効率的な熱風効果が得られるので、電力量を２０分の１に低減できる効果がある。
【００２０】
したがって、吐出部１４０が椅子の背面側に位置する従来技術に比べて、低電力で十分な効果を得ることができるので、消費電力量の低い部品を使用することができ、連結配管などの他の部材のコストを節約することにより、椅子の製造コスト及び使用コストの負担がはるかに少なくなり、強い風の吹き付けが不要なので、ファンの回転により発生する騒音を減らすことができる。さらに、熱風を遠くに吹き付ける必要がないので、より小型の発熱体１２０及びファンを使用することができ、このため結合体を小型化することができ、これにより他の４Ｄ技術を搭載するための椅子１１０の内部のスペースを効率的に使用することができる。
【００２１】
吐出部１４０の位置に応じた従来技術と本発明の電力量の違いを比較したデータを、以下に示す。
【表１】
2018512991.tif 000003
本発明の他の実施形態において、発熱体１２０は、特定の温度以上で抵抗値が急激に上昇する物質を使用することができる。このような物質の例としては、ＰＴＣ（Ｐｏｓｉｔｉｖｅ  Ｔｅｍｐｅｒａｔｕｒｅ  Ｃｏｅｆｆｉｃｉｅｎｔ）ヒーターがあり、これは、チタン酸バリウムに微量の希土類元素を添加することにより、導電性が付与され、Ｂａの一部をＳｒまたはＰｂに置換してキュリー（Ｃｕｒｉｅ）温度を移動し得るｎ型半導体の一種であり、特定の温度に達すると、相転移（Ｐｈａｓｅ  Ｔｒａｎｓｉｔｉｏｎ）により抵抗値が急激に上昇する性質を有する素子として定義される。
【００２２】
ＰＴＣ素子は、長さ及び面積に基づいて所望の温度で一定の温度に維持することができるので、発熱体１２０を背もたれ１１３に設ける場合には、表面温度として約１７０度を維持するための面積及び長さで製造して使用することができる。ただし、前記の例は、一実施例に過ぎないもので、本発明はこれに限定されるものではなく、ＰＣＴ素子は、発熱体１２０の設置位置に応じて、一定の温度を維持するためのそれぞれ異なる面積及び長さを有するように製造可能である。また、これと類似した原理で特定の温度を維持することができる物質であれば、それも発熱体１２０に適用することができる。
【００２３】
従来の方式は、温度の変化に関係なく一定の抵抗を有する物質を使用して、温度が継続的に上昇すると火災が発生する危険性があるので、発熱体１２０に温度センサーを取り付けて、所定の温度に達すると発熱体１２０の電源を切る方法で温度を制御する方式を用いた。このため、温度センサーをさらに取り付ける必要があり、製造コストが高く、温度センサーが故障すると過熱により火災が発生する危険性があった。
これに対し、本発明では、特定の温度以上で抵抗値が急激に上昇するので、上昇した抵抗値が電流を制限することにより、外部の温度または電源電圧の変動に関係なくその温度をほぼ一定に維持できる。したがって、本発明では、別の温度センサーを取り付けることなく、物質自体により温度を制御できるので、従来の技術に比べて、構造を簡素化することで設置コストを削減するとともに、温度センサーの故障に起因する火災の危険性を解決することができる。
【００２４】
本発明の一実施形態において、椅子１１０は、シート部１１１、ベース部１１２及び背もたれ１１３を備える。
シート部１１１は、観客が座席に着座した際に臀部に当接する部分であり、ベース部１１２は、シート部１１１の下部を支持する。背もたれ１１３は、シート部１１１またはベース部１１２と結合して上方に延設され、観客の背中及び頭部を支える。また、肘掛け１１４は、シート部１１１または背もたれ１１３の少なくともいずれか一方の側に結合して、観客の映画観覧時に腕を支えたり、飲み物、ポップコーンなどを置いたりする役割をする。
【００２５】
このとき、吐出部１４０は、背もたれ１１３の正面側に位置することができ（図４参照）、吐出部１４０が背もたれ１１３の正面側に位置すると、観客の身体までの分射距離が非常に短いため、低電力及び軽い風の吹き出しによっても効率的な熱風効果を得ることができる。したがって、吐出部１４０が椅子の背面側に位置した従来の技術に比べて低い電力量で十分な効果を得ることができるので、コスト負担を低減することができ、なお、強い風の吹き付けが不要なので、ファンの回転により発生する騒音を減らすことができる。さらに、熱風を遠くに吹き付ける必要がないので、より小型の発熱体１２０及びファンを使用することができ、このため熱風効果機能の全体的な構成を小型化することができ、その結果、他の４Ｄ技術を搭載するための椅子１１０の内部のスペースを効率的に使用することができる。
【００２６】
特に、吐出部１４０は、背もたれ１１３の正面側の上部に位置し、発熱体１２０は、背もたれ１１３の内部で背もたれ１１３の中央部と吐出部１４０が形成される上部との間に配置可能であるので、熱風の噴射距離を削減すると同時に、吐出部１４０と発熱体１２０を最大限に近接させて設けることにより、熱風効果機能の構成をさらに小型化することができる。
また、本発明の他の実施形態（図３参照）において、椅子１１０は、シート部１１１または背もたれ１１３の少なくともいずれか一方の側に結合される肘掛け１１４をさらに備え、吐出部１４０は、肘掛け１１４に位置することができる。これにより、肘掛け１１４（図５参照）から観客に向かって熱風効果を与えることができ、なお、複数の結合体を異なる部分に設けることにより、観客にとってより強い熱風効果を感じさせることができる。
【００２７】
このような吐出部１４０の位置、大きさ、形状は、一つの例に過ぎないもので、様々な実施形態として適用可能であり、吐出部１４０を、背もたれ１１３と肘掛け１１４の両方に設けることができる（図６参照）。
本発明のまた他の実施形態において、吐出部１４０は、吐出される空気の方向または量を制御する空気抜きブレードを備えてもよい。例えば、空気抜きブレードを吐出部１４０の孔の両端部に結合させてブレードを上下または左右に調整することができ、ブレードを噛み合わせるように調整して、空気が吐出できなくなるように吐出部１４０を塞ぐことができる。  ただし、本発明はこれに限定されるものではなく、風向及び風量を制御できる方法であればいずれの方法をも適用することができる。このような方法において、観客は熱風効果を望まない場合は、空気抜きブレードを用いて風量を調整することができる。
【００２８】
本発明のまた他の実施形態において、発熱体１２０は、それによって加熱された空気を保存する蓄熱部１５０をさらに備えてもよい。蓄熱部１５０は、発熱体１２０によって加熱された空気を保存するためのものであり、熱を吸収し易い金属材料を用いて規則的な間隔で連続的に巻回された構造（図２参照）を採用して、金属と金属間に空気を蓄える構造を多層で形成することにより、熱を効果的に保存することができる。この時、熱を容易に保存して吐き出すための物質として、アルミニウムなどが用いられる。
蓄熱部１５０を使用する場合、  発熱体１２０に結合した蓄熱部１５０は、椅子１１０の内部に配置された発熱体１２０により発生した熱を受け取り、空気を加熱して保存し、さらに、送風部１３０が作動すると、蓄熱部１５０によって加熱されて保存された空気をすぐに吐出部１４０に向かって流動させる。  なお、  椅子１１０の正面側に位置した吐出部１４０を介して熱風が吐出すると、観客は熱風効果を体感する構造の一実施形態を構成することができる。このように蓄熱部１５０を使用すると、予め空気を加熱してこの加熱された空気を蓄えるので、電力を節約することができる。
【００２９】
特に、蓄熱部１５０は、発熱体１２０の表面に直接結合されてもよく、または、蓄熱部１５０が表面に接触しなくても蓄熱部１５０を優れた熱伝導率の範囲内に配置して効率を高める構造を採用してもよく、または、  発熱体１２０を中央に配置することにより、蓄熱部１５０が発熱体１２０を円または球の形状に取り囲む形態を採用してもよい。蓄熱部１５０が発熱体１２０を球状に取り囲む場合は、発熱体１２０から蓄熱部１５０までの距離がｘ、ｙまたはｚ軸のいずれの方向においても同じであるため、最も理想的な熱伝達方式を採用することができる。
本発明のまた他の実施形態（図３参照）において、椅子１１０は、発熱体１２０または送風部１３０の駆動を制御するスイッチ１６０をさらに備えてもよい。スイッチ１６０は、発熱体１２０または送風部１３０の駆動を制御して熱風効果をオン／オフすることができる。スイッチ１６０は、観客がスイッチを操作しやすい位置であればどこにも位置可能であり、発熱体１２０及び送風部１３０に連結されて電源を遮断または連結する役割をする。
【００３０】
スイッチ１６０を設けることにより得られる効果によれば、例えば、夏のように気温が高い場合に観客は熱風ではなく涼しい風を望む場合があり、この場合、観客自ら発熱体１２０をオフにすると、送風部１３０のみが動作するため、熱風の代わりに涼しい風を感じることができる。また、最初から熱風、送風機能を両方とも望まない観客は、送風部１３０、または発熱体１２０及び送風部１３０の両方をオフにすることにより、熱風、送風機能を遮断することができる。それに加えて、スイッチ１６０は、空気抜きブレードを制御することにより、風の方向または吐出される風の量を制御することができる。
また、本発明の他の実施形成では、金属製のケース内部に結合体を設ける構成を採用することにより、熱を保存する構成を採用することができる。
【００３１】
一方、特殊効果のシステムは、特殊効果椅子１００及び制御サーバ２００を備える。
特殊効果椅子１００は、椅子１１０の内部に設けられる発熱体１２０と、発熱体１２０によって加熱された空気を流動させる送風部１３０と、送風部１３０によって流動された空気を前記椅子１１０の外部に吐出する吐出部１４０と、を備え、吐出部１４０は、椅子１１０の正面側に位置する。このとき、特殊効果椅子１００は、通信部を備えてもよく、通信部及び有線または無線ローカル・エリア・ネットワークを介して制御サーバに接続され、この制御サーバによって制御される。
制御サーバ２００は、特殊効果椅子１００の発熱体１２０および送風部１３０の少なくともいずれか一方を制御する。制御サーバーのメモリには、映画の特殊効果のために、発熱体１２０および送風部１３０をオンまたはオフにすべき時点に関するあらゆる作動設定が記憶されている。したがって、映像開始後、既定の制御時間に応じて特殊効果椅子１００の各構成要素が制御されるので、すべての特殊効果椅子１００を同時に制御することができ、必要に応じて手動で制御することもできる。
【００３２】
例えば、爆発シーン（５０分００秒）が現れた場合、発熱体１２０を予め作動させて（４９分００秒）空気を加熱させた後、送風部１３０を作動させて（４９分５９秒）熱風を吐出させる設定や、バイクに乗って高速運転するシーン（３０分００秒）の場合、発熱体１２０をオンにしないまま送風部１３０を作動させて（２９分５９秒）涼しい風を吹き付ける設定などを、予め記憶しておくことにより、実際の映画上映中に同期した時間に熱風、送風効果を自動的に実現できるように、映画館内のすべての特殊効果椅子１００を同時に制御することができる。
また、以上説明した様々な実施形態の構成に示すように、特殊効果椅子１００を適用することができる。
このように、本発明の属する技術分野における当業者により、本発明は、その精神や主要な特徴から逸脱することなく、他の具体的な形で実施することができると理解されるであろう。そのため、前述の実施例はあらゆる点で例示的にすぎず、限定的に解釈してはならない。本発明の範囲は、前記の詳細な説明ではなく、後述する特許請求の範囲によって示すものであって、  特許請求の範囲及びその均等範囲でなされた変形や変更は、すべて本発明の範囲内のものであると解釈されるべきである。
【符号の説明】
【００３３】
１００  特殊効果椅子
１１０  椅子
１１１  シート部
１１２  ベース部
１１３  背もたれ
１１４  肘掛け
１２０  発熱体
１３０  送風部
１４０  吐出部
１５０  蓄熱部
１６０  スイッチ
２００  制御サーバ
【図１】
2018512991.tif 000004
【図２】
2018512991.tif 000005
【図３】
2018512991.tif 000006
【図４】
2018512991.tif 000007
【図５】
2018512991.tif 000008
【図６】
2018512991.tif 000009
【図７】
2018512991.tif 000010
【国際調査報告】
2018512991.tif 000011
2018512991.tif 000012